(57)【要約】【課題】スポット溶接などの煩雑な手段を用いることなく、簡易かつ廉価な手段により、防雨板をフロントカバーなどのカバー部材に適切に取り付けることが可能な屋外設置機器の筐体を提供する。【解決手段】屋外設置機器の筐体Ｃは、筐体本体部２とカバー部材３との接続箇所のシールを図るためのシール用パッキン５が、防雨板４とカバー部材３との双方に跨がって接着され、防雨板４は、シール用パッキン５を用いてカバー部材３に貼り付けられた構成とされている。【選択図】  図２
2018071816.tif 000002
【特許請求の範囲】
【請求項１】
開口部が形成された筐体本体部と、
前記開口部を塞ぐようにして前記筐体本体部に取り付けられ、かつ通気孔が形成されているカバー部材と、
外部から前記通気孔を通過してきた雨水を遮ることが可能に前記カバー部材の裏面側に取り付けられた防雨板と、
前記筐体本体部と前記カバー部材との接続箇所のシールを図るためのシール用パッキンと、
を備えている、屋外設置機器の筐体であって、
前記シール用パッキンは、前記防雨板と前記カバー部材との双方に跨がって接着され、かつ前記防雨板は、前記シール用パッキンを用いて前記カバー部材に貼り付けられていることを特徴とする、屋外設置機器の筐体。
【請求項２】
請求項１に記載の屋外設置機器の筐体であって、
前記防雨板のうち、前記カバー部材の裏面に接触するようにして重ね合わされた領域には、前記カバー部材の裏面を前記防雨板の裏面側に露出させる少なくとも１つの切欠き凹部または孔部が設けられており、
前記シール用パッキンは、前記防雨板の裏面のうち、前記切欠き凹部または前記孔部の周辺部に接着されているとともに、前記切欠き凹部または前記孔部内に進入して前記カバー部材の裏面にも接着している、屋外設置機器の筐体。
【請求項３】
請求項２に記載の屋外設置機器の筐体であって、
前記切欠き凹部または前記孔部として、前記シール用パッキンが延びる方向に間隔を隔てて列状に並んだ複数の切欠き凹部または複数の孔部が設けられている、屋外設置機器の筐体。
【請求項４】
請求項１ないし３のいずれかに記載の屋外設置機器の筐体であって、
前記カバー部材には、前記シール用パッキンを介して前記筐体本体部に対面接触し、かつ前記筐体本体部との接続が図られるフランジ部が設けられており、
前記防雨板の外周縁部は、前記フランジ部に重ねられ、かつ前記シール用パッキンを用いて前記フランジ部に貼り付けられている、屋外設置機器の筐体。
【請求項５】
請求項４に記載の屋外設置機器の筐体であって、
前記フランジ部の先端側部分には、前記カバー部材の内側に向けて折り返された折り返し部が延設されており、
前記防雨板の両側縁部は、前記折り返し部の先端と前記フランジ部との相互間の隙間に進入している、屋外設置機器の筐体。
【請求項６】
請求項１ないし５のいずれかに記載の屋外設置機器の筐体を備えていることを特徴とする、屋外設置機器。
【発明の詳細な説明】
【技術分野】
【０００１】
本発明は、屋外に設置される給湯器などの屋外設置機器の筐体、およびこの筐体を備えた屋外設置機器に関する。
【背景技術】
【０００２】
屋外設置機器の一例として、特許文献１に記載の給湯器がある。
同文献に記載の給湯器においては、バーナを備えた給湯器本体部が筐体内に収容されており、この筐体の外部の空気をバーナの駆動燃焼用の空気として筐体内に取り込むための通気孔が、筐体のフロントカバーに設けられている。また、このフロントカバーの裏面側には、防雨板が取り付けられている。この防雨板は、筐体の外部から前記通気孔を通過してきた雨水を遮り、この雨水が筐体内の奥部に進入することを阻止する。このことにより、給湯器本体部が雨水に濡れないようにすることが可能である。
【０００３】
しかしながら、前記従来技術おいては、次に述べるように未だ改善すべき余地があった。
【０００４】
すなわち、前記従来技術においては、防雨板をフロントカバーに取り付けるための手段として、防雨板に脚部を設け、かつこの脚部をフロントカバーにスポット溶接している。ところが、このような手段によれば、スポット溶接の作業が煩雑であり、その作業コストの分だけ、製造コストが嵩む。また、塗装鋼板を用いてフロントカバーを製作する場合、このフロントカバーに防雨板を取り付けるためのスポット溶接を施すことは事実上行なうことはできない。したがって、防雨板の取り付けに苦慮することとなる。
【先行技術文献】
【特許文献】
【０００５】
【特許文献１】特開平９−２９６９６１号公報
【発明の概要】
【発明が解決しようとする課題】
【０００６】
本発明は、前記したような事情のもとで考え出されたものであり、スポット溶接などの煩雑な手段を用いることなく、簡易かつ廉価な手段により、防雨板をフロントカバーなどのカバー部材に適切に取り付けることが可能な屋外設置機器の筐体、およびこの筐体を備えた屋外設置機器を提供することを、その課題としている。
【課題を解決するための手段】
【０００７】
上記の課題を解決するため、本発明では、次の技術的手段を講じている。
【０００８】
本発明の第１の側面により提供される屋外設置機器の筐体は、開口部が形成された筐体本体部と、前記開口部を塞ぐようにして前記筐体本体部に取り付けられ、かつ通気孔が形成されているカバー部材と、外部から前記通気孔を通過してきた雨水を遮ることが可能に前記カバー部材の裏面側に取り付けられた防雨板と、前記筐体本体部と前記カバー部材との接続箇所のシールを図るためのシール用パッキンと、を備えている、屋外設置機器の筐体であって、前記シール用パッキンは、前記防雨板と前記カバー部材との双方に跨がって接着され、かつ前記防雨板は、前記シール用パッキンを用いて前記カバー部材に貼り付けられていることを特徴としている。
【０００９】
このような構成によれば、次のような効果が得られる。
第１に、シール用パッキンを用いて防雨板をカバー部材に貼り付ける手段は、簡易であり、防雨板をカバー部材にスポット溶接する場合と比較すると、その作業は容易であって、生産性を高めることが可能である。したがって、筐体のコスト低減を好適に図ることができる。
第２に、スポット溶接の場合とは異なり、カバー部材がたとえば塗装鋼板製であったとしても、なんら支障なく、防雨板をカバー部材に適切に取り付けることが可能であり、汎用性に優れる。
第３に、シール用パッキンは、筐体本体部とカバー部材との接続箇所のシールを図るために元々用いられる部材であり、このシール用パッキンを防雨板の取り付けにも併用しているため、部品点数の増加などを生じないようにすることが可能である。したがって、筐体の製造コストを、より低減することが可能である。
【００１０】
本発明において、好ましくは、前記防雨板のうち、前記カバー部材の裏面に接触するようにして重ね合わされた領域には、前記カバー部材の裏面を前記防雨板の裏面側に露出させる少なくとも１つの切欠き凹部または孔部が設けられており、前記シール用パッキンは、前記防雨板の裏面のうち、前記切欠き凹部または前記孔部の周辺部に接着されているとともに、前記切欠き凹部または前記孔部内に進入して前記カバー部材の裏面にも接着している。
【００１１】
このような構成によれば、シール用パッキンを防雨板の周囲に大きな寸法ではみ出させるようなことなく、防雨板をカバー部材に強い接着力で貼り付けることが可能となる。シール用パッキンが防雨板の周囲に大きな寸法ではみ出したのでは、そのようなはみ出しを可能とする大きなスペースをカバー部材に設ける必要があるが、前記構成によれば、そのような必要をなくすことが可能である。
【００１２】
本発明において、好ましくは、前記切欠き凹部または前記孔部として、前記シール用パッキンが延びる方向に間隔を隔てて列状に並んだ複数の切欠き凹部または複数の孔部が設けられている。
【００１３】
このような構成によれば、シール用パッキンを防雨板の複数の切欠き凹部または複数の孔部の周辺部に接着させつつ、前記複数の切欠き凹部または複数の孔部内に進入させてカバー部材の複数箇所にも接着させることを簡易な構成によって図り、防雨板をカバー部材に強い接着力で貼り付ける上で一層好ましいものとなる。
【００１４】
本発明において、好ましくは、前記カバー部材には、前記シール用パッキンを介して前記筐体本体部に対面接触し、かつ前記筐体本体部との接続が図られるフランジ部が設けられており、前記防雨板の外周縁部は、前記フランジ部に重ねられ、かつ前記シール用パッキンを用いて前記フランジ部に貼り付けられている。
【００１５】
このような構成によれば、シール用パッキンをカバー部材のフランジ部からはみ出させるようなことなく、このシール用パッキンによって防雨板の外周縁部をカバー部材のフランジ部に適切に貼り付けることができる。シール用パッキンについては、カバー部材のフランジ部に沿った配置およびサイズに形成すればよく、防雨板を貼り付けるための特別な部分をシール用パッキンに設けるような必要はない。
【００１６】
本発明において、好ましくは、前記フランジ部の先端側部分には、前記カバー部材の内側に向けて折り返された折り返し部が延設されており、前記防雨板の両側縁部は、前記折り返し部の先端と前記フランジ部との相互間の隙間に進入している。
【００１７】
このような構成によれば、仮に、シール用パッキンがカバー部材から剥離し、シール用
パッキンを利用した防雨板の貼り付け状態が解除されるような事態を生じたとしても、防雨板の両側縁部は、フランジ部の先端側に延設された折り返し部の先端部に係合し、防雨板がカバー部材から容易に脱落するようなことは防止される。したがって、防雨板をカバー部材から脱落しないように取り付ける上で、その信頼性を高めることができる。
【００１８】
本発明の第２の側面により提供される屋外設置機器は、本発明の第１の側面により提供される屋外設置機器の筐体を備えていることを特徴としている。
【００１９】
このような構成によれば、本発明の第１の側面により提供される屋外設置機器の筐体について述べたのと同様な効果が得られる。
【００２０】
本発明のその他の特徴および利点は、添付図面を参照して以下に行なう発明の実施の形態の説明から、より明らかになるであろう。
【図面の簡単な説明】
【００２１】
【図１】（ａ），（ｂ）は、本発明に係る屋外設置機器の一例を示す概略断面図である。
【図２】（ａ）は、図１に示す屋外設置機器の筐体のフロントカバーの背面図であり、（ｂ）は、（ａ）のIIb−IIb断面図であり、（ｃ）は、（ａ）のIIc−IIc断面図であり、（ｄ）は、（ａ）の要部断面斜視図であり、（ｅ）は、（ａ）のIIe−IIe断面図である。
【図３】（ａ）は、図２（ａ）の分解背面図であり、（ｂ）は、（ａ）のIIIb−IIIb断面図であり、（ｃ）は、（ａ）のIIIc−IIIc断面図である。
【図４】図３（ａ）の分解背面図である。
【図５】本発明の他の例を示す要部断面図である。
【図６】本発明の他の例を示す要部断面斜視図である。
【図７】（ａ）は、本発明の他の例を示す要部断面斜視図であり、（ｂ）は、（ａ）の組み立て状態の要部断面図である。
【発明を実施するための形態】
【００２２】
以下、本発明の好ましい実施の形態について、図面を参照して具体的に説明する。
【００２３】
図１は、本発明に係る屋外設置機器の一例としての給湯器Ａを示している。この給湯器Ａにおいては、筐体Ｃ（外装ケース）内に、給湯器本体部１が収容されている。給湯器本体部１は、従来既知の給湯器と同様に、たとえば湯水加熱を行うためのバーナと熱交換器との組み合わせ部１０、およびバーナに燃焼用空気を供給するためのファン１１などを備えている。
【００２４】
筐体Ｃは、前面が開口した略直方体状の筐体本体部２と、この筐体本体部２の前面の開口部２０を塞ぐようにして筐体本体部２に取り付けられるフロントカバー３とを備えている。フロントカバー３は、本発明でいうカバー部材の一例に相当し、かつこのフロントカバー３には、防雨板４、およびシール用パッキン５が取り付けられている。
【００２５】
フロントカバー３は、たとえば薄手の塗装鋼板などを用いて構成されており、給湯器本体部１の排気トップ１２を外部に露出させるための排気トップ用開口部３０に加え、１または複数の通気孔３１が設けられている。ファン１１の駆動時においては、外部空気が通気孔３１を通過して筐体Ｃ内に流入し、バーナを駆動燃焼させるための燃焼用空気として利用される。
【００２６】
フロントカバー３の外周には、接続用のフランジ部３２が形成されており、このフラン
ジ部３２を筐体本体部２の先端部外周に突設されているフランジ部２１にシール用パッキン５を介して対向接触させ、かつこれらフランジ部３２，２１どうしをビスなどのネジ体９を利用して締結することにより、筐体本体部２へのフロントカバー３の取り付けが図られている。フランジ部３２，２１には、ネジ体９の挿通用の孔部３３，２２が設けられている。フランジ部３２の先端側には、筐体本体部２側に傾斜した折り返し部３４が延設されているが、この折り返し部３４は、フランジ部３２の先端が鋭利な形状となることを防止し、ユーザなどの手がフランジ部３２に触れた際に怪我を生じないようにするための部分である。
【００２７】
防雨板４は、フロントカバー３の裏面側（筐体Ｃの内部側）に配されており、通気孔３１から筐体Ｃ内に進入してきた雨水を遮り、この防雨板４よりも筐体Ｃ内の奥部に雨水が進行することを防止する部材である。この防雨板４の上部寄りの位置には、通気性を確保するための通気用開口部４０が設けられている。
【００２８】
防雨板４は、シール用パッキン５を用いてフロントカバー３に貼り付けられている。以下、この構成の詳細を説明する。
【００２９】
まず、図４に示すように、防雨板４の左右横幅方向の両側縁部４１のそれぞれには、複数の切欠き凹部４２が上下高さ方向に間隔を隔てて設けられている。好ましくは、同図の要部拡大図に示すように、切欠き凹部４２の長さＬａは、非切欠き部分の長さＬｂよりも長い寸法とされている。これは、シール用パッキン５を用いて防雨板４をフロントカバー３に貼り付ける場合に、シール用パッキン５とフロントカバー３との接着面積を大きくし、その接着強度を高くする上で有利となる構成である。
【００３０】
図３によく表われているように、防雨板４の両側縁部４１は、フロントカバー３のフランジ部３２に重ね合わされている。シール用パッキン５は、可撓性および弾性を有する材質の帯状部材であり、その片面は、接着剤などが塗布された接着面とされた構成である。図２（ａ）によく表われているように、シール用パッキン５は、正面視略Π状に設定され、上部５０および左右両側部５１を有する形態とされた上で、フランジ部３２の上部３２ａおよび左右両側部３２ｂにそれぞれ重ねられ、防雨板４とフランジ部３２との双方に跨がって接着されている。すなわち、シール用パッキン５は、その一部（複数個所）が防雨板４の側縁部４１としての各切欠き凹部４２の周辺部に接着されているとともに、他の一部（複数個所）が各切欠き凹部４２内に進入し、フランジ部３２の裏面（図２（ｂ）〜（ｄ）の上面）に接着した構成とされている。このことにより、防雨板４は、シール用パッキン５を用いてフランジ部３２に貼り付けられている。防雨板４の横幅方向中央部とフロントカバー３との相互間には、隙間８が形成されているが、この隙間８は、図１（ａ）に示す通気孔３１と通気用開口部４０とを連通させる通路として機能する。
【００３１】
次に、前記した給湯器Ａの作用について説明する。
【００３２】
防雨板４をフロントカバー３に取り付けるための手段として、既述したように、シール用パッキン５を用いて防雨板４をフロントカバー３に貼り付ける手段が採用されているが、このような手段によれば、防雨板４をフロントカバー３にたとえばスポット溶接する手段と比較すると簡易であり、筐体Ｃの生産性を高め、その製造コストを廉価にすることが可能である。また、シール用パッキン５は、フランジ部３２，２１の相互間のシール性を高めることを目的として元々用いられるものであり、このシール用パッキン５を防雨板４の取り付けに利用しているため、その構成は合理的であり、製造コストを廉価にする上で、より好ましいものとなる。防雨板４をフロントカバー３にスポット溶接した場合には、フロントカバー３にスポット溶接の痕が付き、外観体裁が大きく損なわれるが、本実施形態によれば、そのような虞もない。
【００３３】
防雨板４の両側縁部４１は、フランジ部３２に重ねられており、この部分がシール用パッキン５による貼り付け対象とされている。その一方、シール用パッキン５は、本来的に、フランジ部３２に重ねられるように構成される。したがって、シール用パッキン５を利用して防雨板４をフロントカバー３に貼り付ける手段として、シール用パッキン５の形状やサイズに特別な変更を加えるような必要はない。シール用パッキン５としては、従来用いられていたシール用パッキンをそのまま用いることが可能である。
【００３４】
シール用パッキン５を防雨板４の両側縁部４１とフロントカバー３のフランジ部３２との双方に跨がらせて接着させるための手段として、防雨板４の両側縁部４１には、複数の切欠き凹部４２が設けられているため、シール用パッキン５を両側縁部４１の外方に大きくはみ出させるようなことなく、シール用パッキン５を両側縁部４１とフランジ部３２との双方に大きな面積で、かつ強い接着力で接着させることが可能である。したがって、防雨板４の取り付け強度を高める上で、より好ましいものとなる。
【００３５】
図５〜図７は、本発明の他の実施形態を示している。これらの図において、前記実施形態と同一または類似の要素には、前記実施形態と同一の符号を付すこととし、重複説明は省略する。
【００３６】
図５に示す実施形態においては、防雨板４の両側縁部４１の符号ｎ１で示す部分が、折り返し部３４の先端３４ａとフランジ部３２との相互間に挟まれた配置に設けられている。このような構成によれば、仮に、シール用パッキン５がフランジ部３２や防雨板４から不用意に剥離するような事態を生じたとしても、防雨板４の両側縁部４１が折り返し部３４の先端３４ａに係合するため、防雨板４がフロントカバー３から脱落し難くなる。したがって、防雨板４の取り付け状態を信頼性の高いものとすることができる。
【００３７】
図６に示す実施形態においては、防雨板４の側縁部４１に、前記した複数の切欠き凹部４２に代えて、複数の孔部４２ａが設けられている。このような構成であっても、複数の切欠き凹部４２が設けられている場合と同様に、シール用パッキン５を防雨板４の側縁部４１とフランジ部３２の裏面との双方に跨がらせて接着させることが可能である。
【００３８】
図７に示す実施形態においては、防雨板４の側縁部４１に、切欠き凹部や孔部が設けられていない構成とされており、シール用パッキン５は、その短手方向において、フロントカバー３のフランジ部３２に接着する領域と、防雨板４の側縁部４１に接着する領域とを有する構成となっている。このような構成によっても、防雨板４をフランジ部３２に適切に貼り付けることが可能である。
【００３９】
本発明は、上述した実施形態の内容に限定されない。本発明に係る屋外設置機器および筐体の各部の具体的な構成は、本発明の意図する範囲内において種々に設計変更自在である。
【００４０】
上述の実施形態においては、フロントカバー３にフランジ部３２を設けているが、フロントカバー３は、フランジ部３２を設けることなく筐体本体部２に接続することも可能である。したがって、シール用パッキン５を用いて防雨板４をフロントカバー３に貼り付ける場合、フロントカバー３のフランジ部とは異なる個所に防雨板４を貼り付けた構成とすることもできる。
防雨板やシール用パッキンの具体的な形状、サイズ、材質などは限定されない。上述の実施形態においては、シール用パッキンを略Π状とし、筐体本体部とフロントカバーとの接続個所の下部についてはシール用パッキンが配されていない構成とされているが、これとは異なり、シール用パッキンを略ループ状とし、前記接続個所の全周にわたって配した
構成とすることもできる。シール用パッキンとして、複数のシール用パッキンを用いることもできる。
【００４１】
筐体本体部は、前面開口状に限定されず、たとえば側面開口状、あるいは後面開口状など、前面部以外に開口部が設けられている構成とすることもできる。したがって、カバー部材は、フロントカバーに限定されない。
本発明に係る屋外設置機器は、給湯器に限定されず、たとえばヒートポンプやエアコンの室外機なども該当し、所定の機器が筐体内に収容されて屋外に設置される機器であれば、その具体的な種類や機能などを問うことなく、本発明の適用対象とすることができる。
【符号の説明】
【００４２】
Ａ  給湯器（屋外設置機器）
Ｃ  筐体
２  筐体本体部
３  フロントカバー（カバー部材）
３１  通気孔
３２  フランジ部
４  防雨板
４１  側縁部（防雨板の）
４２  切欠き凹部
４２ａ  孔部
５  シール用パッキン
【図１】
2018071816.tif 000003
【図２】
2018071816.tif 000004
【図３】
2018071816.tif 000005
【図４】
2018071816.tif 000006
【図５】
2018071816.tif 000007
【図６】
2018071816.tif 000008
【図７】
2018071816.tif 000009